【手続補正書】
【提出日】平成20年5月1日(2008.5.1)
【手続補正１】
【補正対象書類名】明細書
【補正対象項目名】特許請求の範囲
【補正方法】変更
【補正の内容】
【特許請求の範囲】
【請求項１】  流体の流れの通路を規定する導管；  該導管の中の化学吸着性媒体であって、該化学吸着性媒体が該導管を通る流体中の塩基汚染物質を化学的に吸着することができる酸性官能基を有するコポリマーを含んでおり；そして  該導管の中の物理吸着性媒体であって、該物理吸着性媒体が該導管を通る流体から凝縮性汚染物質を物理的に吸着することができるものである；
を含んでなる流体透過性フィルター。
【請求項２】  該化学吸着性媒体がスルホン酸基を有する多孔性ジビニルベンゼンスチレンコポリマーを含む請求項１のフィルター。
【請求項３】  該酸性基が少なくとも１ミリ当量／グラムのスチレンコポリマーの酸性度レベルを有する請求項１のフィルター。
【請求項４】  該化学吸着性媒体が５０−４００オングストロームの範囲の孔径を有する請求項１のフィルター。
【請求項５】  該酸性官能基がカルボン酸を含んでなる請求項１のフィルター。
【請求項６】  該フィルター要素の少なくとも一つがプリーツ付きのフィルター要素である請求項１のフィルター。
【請求項７】  各フィルター要素の該媒体が２０ｍ2／ｇあるいはそれ以上の表面積を有する請求項１のフィルター。
【請求項８】  該物理吸着性媒体が未処理の活性炭を含む請求項１のフィルター。
【請求項９】  該未処理の活性炭がトレーを満たしている請求項８のフィルター。
【請求項１０】  該未処理の活性炭が、ココナッツ殻をベースとし、石炭をベースとし、木材をベースとし、またはピッチをベースとし、あるいは有機物源から誘導される請求項９のフィルター。
【請求項１１】  該化学吸着性媒体が未処理の活性炭に付着した層を形成する請求項９のフィルター。
【請求項１２】  該未処理の活性炭がバインダー材料と共に保持されたブロックの形になっている請求項８のフィルター。
【請求項１３】  該化学吸着性媒体と該物理吸着性媒体が別々のフィルター要素になっている請求項１のフィルター。
【請求項１４】  高品質の非汚染空気を必要とする加工設備用の空気を濾過する方法であって、
塩基汚染物質と反応することができる酸性官能基を有するコポリマーを含む化学吸着性媒体を用意し；
凝縮性汚染物質を物理的に吸着することができる物理吸着性媒体を用意し；
該化学吸着性フィルター要素と該物理吸着性フィルター要素に空気を流す工程を含んでなる方法。
【請求項１５】  該化学吸着性媒体がスルホン酸基を有する多孔性ジビニルベンゼンスチレンコポリマーを含む請求項１４の方法。
【請求項１６】  該物理吸着性媒体が未処理の活性炭である請求項１４の方法。
【請求項１７】  該フィルター要素に該空気を通した後に写真平版器具に該空気を流す工程を更に含んでなる請求項１４の方法。
【請求項１８】  多数個のフィルター要素であって、該フィルター要素が塩基汚染物質を化学的に吸着することができる酸性官能基を有するコポリマーを有する化学吸着性媒体と流体から凝縮性汚染物質を物理的に吸着する能力のある物理吸着性媒体を含んでおり；及び
該フィルター要素の性能をモニターするモニター素子に連結するための該フィルターユニットの中の多数個のサンプリングポートであって、該サンプリングポートが隣接するフィルター要素の間に位置する個別のサンプリングポートが配列されている；
を含んでなるフィルターユニット。
【請求項１９】  該多数個のサンプリングポートのあるサンプリングポートが該多数個のフィルター要素の上流側に位置し、そして該多数個のサンプリングポートの別のサンプリングポートが該多数個のフィルター要素の下流側に位置する請求項１８のフィルターユニット。
【請求項２０】  該モニター素子が分析素子である請求項１８のフィルターユニット。
【請求項２１】  該分析素子が、ガスクロマトグラフ質量選択検出器、イオン易動度スペクトロメーター、音波検出器、原子吸光検出器、誘導結合プラズマ検出器、およびフーリエ変換法のいずれか１つである請求項２０のフィルターユニット。
【請求項２２】  該モニター素子が濃縮器である請求項１８のフィルターユニット。
【請求項２３】  該濃縮器が該試料ポートに連結し、そして該汚染物質が拡散により濃縮器中に蓄積する請求項２２のフィルターユニット。
【請求項２４】  該濃縮器が、該汚染物質を該濃縮器に牽引するポンプに連結している請求項２２のフィルターユニット。
【請求項２５】  該汚染物質が該濃縮器中に蓄積し、該蓄積された内容物が分析素子により評価される請求項２２のフィルターユニット。
【請求項２６】  写真平版システムであって、
該システムにわたって空気を動かすための空気ハンドラー；
未濾過空気を該空気ハンドラーから受け入れるフィルターユニットであって、該フィルターユニットが、
塩基汚染物質を化学的に吸着できる酸性官能基を有するコポリマーを含む化学吸着性媒体と流体から凝縮性汚染物質を物理的に吸着することができる物理吸着性媒体を有する多数個のフィルター要素、及び
モニター素子に連結するための該フィルターユニットの中の多数個のサンプリングポートであって、個別のサンプリングポートが隣接するフィルター要素の間に位置するように該サンプリングポートが配列されており；及び
濾過空気を該フィルターユニットから受け入れる写真平版器具；
を含んでなる写真平版システム。
【請求項２７】  該多数個のサンプリングポートのあるサンプリングポートが該多数個のフィルター要素の上流側に位置し、そして該多数個のサンプリングポートの別のサンプリングポートが該多数個のフィルター要素の下流側に位置する請求項２６の写真平版システム。
【請求項２８】  該モニター素子が、分析素子または濃縮器のいずれか１つである請求項２６の写真平版システム。
【請求項２９】  多数個のフィルター要素であって、該フィルター要素が化学吸着性媒体と物理吸着性媒体を含んでおり；及び
該フィルター要素の性能をモニターするモニター素子に連結するための該フィルターユニットの中の多数個のサンプリングポートであって、個別のサンプリングポートが隣接するフィルター要素の間に位置するように該サンプリングポートが配列されている；
を含んでなるフィルターユニット。
【請求項３０】  該多数個のフィルター要素が１組のスタックに配列され、該スタックが直列に配列されている請求項２９のフィルターユニット。
【請求項３１】  各スタックに対して、該フィルター要素が並列に配列されている請求項３０のフィルターユニット。
【請求項３２】  フィルターユニットにより空気を濾過する方法であって、物理吸着性媒体と化学吸着性媒体からなる多数個のフィルター要素に該空気を通し；そして
隣接するフィルター要素の間の領域中で該空気をサンプリングすることにより該多数個のフィルター要素の性能をモニターする；
工程を含んでなる方法。
【請求項３３】  モニタリングの該段階が該多数個のフィルター要素の上流の領域で、また該多数個のフィルター要素の下流の領域で該空気をサンプリングすることを含む請求項３２の方法。
【請求項３４】  写真平版器具に循環される空気を濾過する方法であって、物理吸着性媒体と化学吸着性媒体からなる多数個のフィルター要素を有するフィルターユニットに空気を送達し；
該空気が該フィルターユニットを出た後、該写真平版器具に該空気を送達し；そして
隣接するフィルター要素の間の領域の該フィルターユニットの中の該空気をサンプリングすることにより該フィルター要素の性能をモニターする；
工程を含んでなる方法。
【請求項３５】  モニタリングの該工程が該多数個のフィルター要素の上流の領域と該多数個のフィルター要素の下流の領域の該フィルターユニットの中の該空気をサンプリングすることを含む請求項３４の方法。
【請求項３６】  少なくとも２つのフィルター要素であって、該フィルター要素が化学吸着性媒体と物理吸着性媒体を含み；及び
該フィルター要素の性能をモニターするモニター素子に連結するための該フィルターユニットの中のサンプリングポートであって、該サンプリングポートが該少なくとも２つのフィルター要素の間に位置している；
を含んでなるフィルターユニット。
【請求項３７】  該少なくとも２つのフィルター要素の上流側に位置するあるサンプリングポートと該少なくとも２つのフィルター要素の下流側に位置する別のサンプリングポートを更に含んでなる請求項３６のフィルターユニット。
【請求項３８】  化学吸着性媒体と物理吸着性媒体を有するフィルター要素；及び
該フィルターユニットの中及び該フィルター要素の片側に位置するサンプリングポート；
を含んでなるフィルターユニット。
【請求項３９】  該フィルターユニットの中及び該フィルター要素の反対側に位置する別のサンプリングポートを更に含んでなる請求項３８のフィルターユニット。
【請求項４０】  化学吸着性媒体と物理吸着性媒体を有するフィルター要素；及び
２つのサンプリングポートであって、一方のサンプリングポートが該フィルター要素の片側に位置し、そして該他方のサンプリングポートが該フィルター要素の反対側に位置する；
を含んでなるフィルターユニット。